(57)【特許請求の範囲】
【請求項１】
液晶パネルと、前記液晶パネルに電気的に接続される回路基板と、
を具備し、
前記回路基板と前記液晶パネルとの間には、一方の側が前記液晶パネルと対向して前記液晶パネルを支持し、他方の側が前記回路基板と対向する支持体が配置されており、
前記支持体には、前記回路基板と係合する係合手段が形成されているとともに、その前記他方の側には凹部が設けられてなり、
前記凹部内には、前記液晶パネルと前記回路基板とを電気的に接続する接続部材が収められてなることを特徴とする液晶表示装置。
【請求項２】
請求項１に記載の液晶表示装置において、
前記接続部材は弾性部材であり該接続部材の弾性力により前記回路基板に圧がかかっていることを特徴とする液晶表示装置。
【請求項３】
請求項１に記載の液晶表示装置において、
前記接続部材は、導電部と弾性の絶縁部とを含み、該接続部材が加圧されることにより前記導電部と前記回路基板とが電気的に接続されることを特徴とする液晶表示装置。
【請求項４】
請求項１に記載の液晶表示装置において、
前記接続部材はトーションバネ構造を有する弾性片からなることを特徴とする液晶表示装置。
【請求項５】
請求項１に記載の液晶表示装置において、
前記接続部材は、配線部材を介して前記液晶パネルに電気的に接続されていることを特徴とする液晶表示装置。
【請求項６】
平面形状の表示パネルと、前記表示パネルに電気的に接続される回路基板と、を具備し、
前記回路基板と前記表示パネルとの間には、一方の側が前記表示パネルと対向して前記表示パネルを支持し、他方の側が前記回路基板と対向する支持体が配置されており、
前記支持体には、前記回路基板と係合する係合手段が形成されているとともに、その前記他方の側には凹部が設けられてなり、
前記凹部内には、前記表示パネルと前記回路基板とを電気的に接続する弾性を有する接続部材が収められてなることを特徴とする平面型表示装置。
【請求項７】
請求項６に記載の平面型表示装置において、
前記表示パネルに接続される第１端と、前記接続部材と前記支持体との間に挟まれる第２端とを有する配線部材を更に具備し、
前記表示パネルと前記回路基板とが電気的に接続されるよう前記第２端が前記接続部材に電気的に接続されてなることを特徴とする平面型表示装置。
【請求項８】
請求項７に記載の平面型表示装置において、
前記第２端の前記接続部材側の面には複数の第１端子が設けられ、前記回路基板の前記接続部材側の面には複数の第２端子が設けられており、
前記接続部材は複数の絶縁部と複数の導電部を含んでおり、それぞれの前記第１端子は、対応する前記第２端子に前記導電部を介して電気的に接続されてなることを特徴とする平面型表示装置。
【請求項９】
請求項７に記載の平面型表示装置において、
前記接続部材はトーションバネであり、該トーションバネの端部が前記回路基板に電気的に接続されてなることを特徴とする平面型表示装置。
【請求項１０】
請求項８に記載の平面型表示装置において、
前記支持体は導光体を有する照明装置を備えており、前記凹部は前記導光体に形成されてなることを特徴とする平面型表示装置。
【請求項１１】
表示部として平面型表示装置を備えた電子機器において、
前記平面型表示装置は、平面形状の表示パネルと、前記表示パネルに電気的に接続される回路基板と、を具備し、
前記回路基板と前記表示パネルとの間には、一方の側が前記表示パネルと対向して前記表示パネルを支持し、他方の側が前記回路基板と対向する支持体が配置されており、
前記支持体には、前記回路基板と係合する係合手段が形成されているとともに、その前記他方の側には凹部が設けられてなり、
前記凹部内には、前記表示パネルと前記回路基板とを電気的に接続する弾性を有する接続部材が収められてなることを特徴とする電子機器。
【発明の詳細な説明】
【０００１】
【発明の属する技術分野】
本発明は液晶表示装置、有機EL（エレクトロルミネッセンス）表示装置等に代表される平面形状の表示装置に係わり、特に、表示パネルを各種機器に取り付けるための支持体を備えた平面形状の表示装置の構造に関する。
【０００２】
【従来の技術】
一般に、液晶パネル等の平面形状の表示装置を携帯電話やパーソナルコンピューター等の各種電子機器に取り付ける場合には、液晶パネルを支持する合成樹脂製の支持体を設け、この支持体に電子機器内に設置された回路基板などに取り付けるための係合手段を設ける。この係合手段としては、回路基板にネジ止めなどを行うためのネジ止め孔や、回路基板に形成された取付孔に挿入可能で、この取付孔に係合するように構成されたフック形状のものなどがある。
【０００３】
上記の支持体としては、液晶パネルの背後に配置されるバックライトの少なくとも一部、例えば導光機能を備えた導光部を備え一体形成される場合がある。この場合には支持体はアクリル樹脂、ポリカーボネート樹脂などの透明樹脂により整形して形成されている。この場合、バックライトの光源を構成するＬＥＤなどの発光素子は通常、電子機器の回路基板上などに実装されており、回路基板上に取り付けられた支持体の導光部の端部に配置されることで発光素子の発する光が端部から導入（入射）されるように予め設計される。また、この発光素子は支持体に組み込まれる場合もある。
【０００４】
上述のように液晶パネルは支持体を介して回路基板上などに取り付けられるのであるが、液晶パネルと電子機器側の回路基板との間の導電接続は、液晶パネルに導電接続されたフレキシブル配線基板の先端に形成された配線端子部を回路基板上に実装された接続コネクタに挿入又は嵌合（係合）して行なわれる場合や、半田付け等によるものが多い。この場合、液晶パネルを回路基板に実装する際には、液晶パネルを支持体に支持するとともに支持体を回路基板上に取付固定した後に、予め液晶パネルに導電接続されたフレキシブル配線基板の先端の接続端子部を接続コネクタに接続する必要があり、また接続が半田付けによる場合はフレキシブル配線基板の先端を回路基板側の端子に位置合わせを行ない半田付けする必要がある。
【０００５】
回路基板上に実装される接続コネクタとしては、接続コネクタに設けられた開口したスリットにフレキシブル配線基板の接続端子部を挿入するもの、またフレキシブル配線基板の接続端子部を挿入したときにスナップ状に係合するように構成されたものや、開閉可能に構成された可動部を有し、接続端子部をコネクタのピン端子上に配置した状態で可動部を閉じてロックすることにより接続端子部を表裏から挟み込むように構成されたものなどがある。
【０００６】
【発明が解決しようとする課題】
しかしながら、上記従来の液晶パネルの電子機器への取付構造においては、支持体の取付（組込み）作業と液晶パネルの導電接続作業とを別々に行う必要があり、しかも、液晶パネルに接続されたフレキシブル配線基板の接続端子部を半田付けをしたり接続コネクタに接続する作業が繁雑であるために、取付（組込み）作業を一つ一つ手作業で行わざるを得ず、電子機器への液晶パネルの自動実装（搭載）化を図ることが極めて困難であるという問題点がある。
【０００７】
そこで本発明は上記問題点を解決するものであり、その課題は、支持体に支持された液晶パネルの機器内への取付（組込み）作業を容易に行うことによって、自動実装（搭載）を可能にする液晶表示装置の構造を提供しようとするものである。
【０００８】
【課題を解決するための手段】
上記課題を解決するために本発明の液晶表示装置又は平面型表示装置は、支持体が平面形状の表示パネルの背面に設けられる。平面形状の表示パネルの例としては、例えば、液晶パネル、有機ELパネル等があげられる。液晶パネルを採用した場合にあっては、支持体として照明装置の導光体を用いることもできる。支持体の背面には表示パネルを駆動するためのIC等が実装された回路基板等の基板が配置されており、支持体は液晶パネルと基板等との間に保持されている。そして、基板は支持体の取り付け支持面に接している。ここで、取り付け支持面とは支持体の面のうち表示パネルを支持する面とは対向する側の面のことを指す。
支持体と基板との間には弾性を有する接続部材が配置されており、接続部材の弾性力によって基板に対して接触圧力が加えられるため、接続部材と基板との導電接続を確実に実現できるとともに支持体の取付状態のずれなどに対しても許容幅が増大し導電接続の信頼性を向上することができる。接続部材の弾性力を得るためには、ラバーコネクタや、トーションバネ構造を有する弾性片を採用すればよい。トーションバネ構造を有する弾性片を採用することによって安価に導電接続の確実性及び信頼性を獲得できる。
また、上記課題を解決するため、本発明に係る液晶表示装置は、液晶パネルと、前記液晶パネルに電気的に接続される回路基板と、を具備し、前記回路基板と前記液晶パネルとの間には、一方の側が前記液晶パネルと対向して前記液晶パネルを支持し、他方の側が前記回路基板と対向する支持体が配置されており、前記支持体には、前記回路基板と係合する係合手段が形成されているとともに、その前記他方の側には凹部が設けられてなり、前記凹部内には、前記液晶パネルと前記回路基板とを電気的に接続する接続部材が収められてなることを特徴とする。
【０００９】
接続部材と支持体との間には配線部材の一端部が保持される。配線部材の他端は表示パネルに接続されるので、表示パネルと回路基板とは接続部材を介して電気的に接続されることになる。回路基板と配線部材とを導電接続するためには、配線部材及び回路基板の双方に端子が形成される必要性がある。そして配線部材の端子と回路基板の端子とは接続部材を介して互いに対向している。配線部材を用いて表示パネルと回路基板とを接続する構成を採用することによって、接続部材の配置や支持構造を表示パネルの構造に影響されることなく任意に設計することができる。
【００１０】
回路基板上の端子と配線部材との電気的接続を実現するためには、ラバーコネクタを用いることができる（もちろんトーションバネ構造を用いることもできる）。ラバーコネクタは、絶縁材料中に複数の導電部を含ませた構造を有するラバーコネクタを用いることができる。または、他のラバーコネクタとしては、絶縁材料の周囲に金属細線を多数巻き付けたもの等も採用可能である。
本発明に係わる接続構造においては、配線基板に設けられた端子と、回路基板に設けられた端子とは、それらに対応する導電部を介して電気的に接続される。絶縁性の弾性体が加圧されることにより弾性体中に含まれる導電部が端子に接触し、導通するように構成されているので、製造工程中の短絡事故や漏電事故などを低減できるとともに、コネクタ構造を複雑化させることなく、コンタクト方向の弾力性を得ることができる。
【００１１】
本発明に係わる平面型の表示装置においては、支持体の取付支持面に凹部が形成され、その凹部に弾性を有する接続部材が配置される。凹部は例えば支持体に形成された厚肉部に設けられ、そして接続部材は該凹部の内底面に配置される。よって接続部材がコンタクト方向の背後から取付支持されていることにより、支持体と接続部材との位置関係が定まり、支持体に設けられた取付支持面によって接続部材がコンタクト方向の背後から取付支持され，支持体と接続部材との位置関係が定まり、導電接続の確実性及び信頼性を高めることができる。 その上、支持体を係合手段を用いて基板、すなわち電子機器内に設置された回路基板などに取り付けることによって、接続部材が回路基板上の端子に圧接され、導通するように構成されているので、支持体の回路基板への取付作業と、接続部材と対応端子部との導電接続作業とをそれぞれ別個に行う必要がなくなり、表示装置の取付作業が極めて容易になるとともに、表示装置の自動実装も可能になる。ここで、接続構造は複数の端子を有する端子部（例えば配線基板に形成された配線端子を含む配線端子部）を含むことがある。
【００１２】
本発明に係わる平面形状の表示パネルの他例では、支持体が平面形状の表示パネルの背面に設けられる。平面形状の表示パネルの例としては、例えば、液晶パネル、有機ELパネル等があげられる。液晶パネルを採用した場合にあっては、支持体として照明装置の導光体を用いることもできる。支持体の背面には表示パネルを駆動するためのIC等が実装された回路基板等の基板が配置されており、支持体は液晶パネルと基板等との間に保持されている。そして、基板は支持体の取り付け支持面に接している。支持体には開口部が設けられておりその開口部には弾性を有する接続部材が挿入され、表示パネルと回路基板とは接続部材を介して電気的に接続される。表示パネルと回路基板とを電気的に接続するためには、回路基板及び表示パネルの双方に端子が形成され、それぞれの端子は接続部材を介して互いに向き合っている。接続部材としては、絶縁材料中に複数の導電部を含ませた構造を有するラバーコネクタを用いることができる。または、絶縁材料の周囲に金属細線を多数巻き付けたラバーコネクタ等も採用可能である。
本例の表示パネルにおいては、表示パネル上に設けた端子と、回路基板上の端子とは対応するラバーコネクタの導電部を介して接続される。この接続構造では、絶縁性の弾性体が加圧されることにより弾性体中に含まれる導電部が表示パネルの端子及び回路基板の端子に接触し導通するように構成されている。言い換えれば、表示パネルと回路基板とは、配線部材等を介さずに直接接続されるので、配線部材の取り回しなどが不要となり表示装置のサイズを小さくすることができる。
上記構成の表示パネルにおいては、支持体に開口部が形成され、その開口部に接続部材を挿入される。そのため、端子が形成された表示パネルの張出領域と接続部材が接触する。さらには、支持体には、回路基板に対する接続部材のコンタクト方向に表示パネルを押圧支持する押圧支持部が形成されていることが望ましい。こうすることにより、押圧支持部によって表示パネルが押圧され、支持されるため、表示パネルが接続部材に対する実装部分にコンタクト圧に起因して受ける変形応力を押圧支持部から受ける応力により減殺することができる。また、押圧支持部は、表示パネルにおける接続部材の実装部を裏側から押圧支持するように構成されていることが望ましい。こうすることにより、押圧支持部が表示パネルにおける接続部材の実装部を裏側から押圧支持するように構成されていることにより、表示パネルが受ける変形応力をさらに低減でき、パネルの破損を防止することができる。
【００１３】
【発明の実施の形態】
以下、本発明に係る液晶表示装置の実施形態について詳細に説明する。以下に示す各実施形態は小型電子機器の内部に設置された回路基板上に実装（搭載）するように構成された液晶表示装置に関するものであるが、本発明に係る液晶表示装置はこのような類のものに限定されることなく、種々の機器の種々の構成部材に取り付けられるように構成された液晶表示装置を広く含むものである。
【００１４】
［第１実施形態］
図１（ａ）は本発明に係る第１実施形態の液晶表示装置の一部を示す拡大一部縦断面図、図２は第１実施形態の全体を示す縦断面図、図３は第１実施形態の側面図、図４は第１実施形態の底面図、図５は第１実施形態の平面図である。
【００１５】
本実施形態では、図２に示すように、透明なガラスなどからなる基板１１と基板１２が図示しないシール材を介して対向して貼り合わせられ、その間に液晶が封入された液晶セル構造を有し、基板１１及び１２の表裏の外面上にそれぞれ偏光板１３，１４が貼着された液晶パネル１０が設けられている。液晶パネル１０において、基板１１は基板１２よりも大きな面積を有し、基板１２の端部（及び外形）よりも張り出した張出領域１１ａが形成されている。一対の基板１１，１２の対向面にはそれぞれ図示しない電極が形成され、張出領域１１ａの表面上（図示下面）にはシール材にて囲まれた液晶封入領域内から上記の電極のそれぞれと電気的に接続された図示しない複数の配線電極が引き出され、この配線電極の先端に導電接続された図示しないバンプ電極を備える集積回路チップ１５が実装されている。また、張出領域１１ａの端部近傍にはパネル端子部１１ｂが形成されパネル端子部１１ｂにはフレキシブル配線基板１６が導電接続されている。
【００１６】
上記の液晶パネル１０は、透明な樹脂を素材として導光部２１を備えて一体成形された支持体２０に対して図示しない両面粘着テープなどによって上面に取り付けられる。支持体２０は、液晶パネル１０を平面的に支えるように平板部を有して形成され、図示しない光源から出射された光を導光して液晶パネル１０のパネル面側に照射する導光部２１と、液晶パネル１０の外形（及び端面）を取り囲むように形成された枠状部２２と、支持体２０を図示しない電子機器の回路基板に取り付けて固定するために、液晶パネルを支持する上面とは側の反対側の背面側に突出する４つの取付係合突起２３とを備えている。また、導光部２１の一端寄りには背面側に突出した厚肉部２４が設けられ、この厚肉部２４の背面上に上記のフレキシブル配線基板１６が導入されている。すなわち、張出領域１１ａの下方に相当する部位（厚肉部２４）の厚みが導光部２１の厚みより厚く形成され、張出領域１１ａ上のパネル端子部１１ｂと導電接続されたフレキシブルは配線基板１６がこの部位（厚肉部２４）を挟むようにして折り曲げられている。ここで、フレキシブル配線基板１６は図示下方に向けて屈曲された後、その屈曲形状を保持するためにフレキシブル配線基板１６より硬質の合成樹脂などからなる補強板１７が接着されている。補強板１７はフレキシブル配線基板１６の湾曲部の外面（外側に開放される側の面）に接着されているとともに、張出領域１１ａにおいてフレキシブル配線基板１６と導電接続されているパネル端子部１１ｂの裏側（反対側）に位置する基板１１の表面上にも接着されている。従って、補強板１７は基板１１の張出領域１１ａをフレキシブル配線基板１６とによって挟むように接着されている。
【００１７】
図１（ａ）には、本実施形態の厚肉部２４の近傍を拡大して示す。支持体２０は、液晶パネル１０を支持する上面とは側の反対側の背面において張出領域１１ａの下方に位置する領域面には液晶パネル１０の張出領域１１ａ側に凹部２４ａが形成されている。すなわち厚肉部２４には、、図４に示すように厚肉部２４の厚み内に陥没した平面視矩形状の凹部２４ａが形成されており、更にこの凹部２４ａには、凹部２４ａから支持体２０の外周部に至るまで繋がって陥没した溝状の開口凹部２４ｂが形成されている。上記の折り曲げられたフレキシブル配線基板１６は、支持体２０の外周側からこの開口凹部２４ｂの溝に沿って収められ、凹部２４ａ内に導入されている。凹部２４ａ内に導入されたフレキシブル配線基板１６の先端の部分には、合成樹脂などからなる補強板１８を貼着することによって補強され、この補強板１８は両面粘着テープなどの固着手段２５によって凹部２４ａの内底面２４ｄに固着（取付支持）されている。フレキシブル配線基板１６には補強板１８の貼着面とは反対側の面にラバーコネクタ１９が一方の面で接着固定されている。このラバーコネクタ１９は、合成ゴムなどからなる弾性基材１９ａの内部に金線などからなる多数の導電線１９ｂを互いに接すること無く同一方向に向けた状態で表裏に貫通するように挿通されているものであり、表裏の面に電気的な接続（コンタクト）面を持ち、導電線１９ｂの長さ方向にのみ導電性を有する。すなわち、異方性を有し特定方向（上下方向）にのみ導通を図るものである。導電線１９ｂとしては、ステンレス鋼や真鍮製のピンの両端部にコンタクト性を向上させる金被膜などを被着したものでもよい。このラバーコネクタ１９は、表裏方向に５〜３０％程度厚さを圧縮することによって導電線１９ｂの両端部が弾性基材１９ａの表裏面から突出し、表裏面に接触した導電部材間を導通させるように構成されている。また、このような圧縮ストロークを確保するために、ラバーコネクタ１９の厚みは、他方の面が厚肉部２４に形成された凹部ａの窪みから突出するような厚みを有している。従って、厚肉部２４の回路基板３０側（図示下方）の端面２４ｃよりもやや図示下方に突出するように設けられている。すなわち、張出領域１１ａの下方に位置する領域面から回路基板３０側に突出するように設けられている。また、このラバーコネクタ１９の各側面は、厚肉部２４の回路基板３０側の端面２４ｃより突出している部分を除いて前述の凹部２４ａに側面が密着する（又は、ずれを生じさせないように側辺が固定される）ように嵌め込まれているため、押圧（圧縮）されても接触（コンタクト）面でのずれを生じさせることが無い。
【００１８】
フレキシブル配線基板１６と接着固定されているラバーコネクタ１９の一方の面（図示上面）にはフレキシブル配線基板１６上に配列して設けられ上記パネル端子部１１ｂと電気的に接続された配線端子部１６ａ（図４に点線にて示す。）が接触している。従って、ラバーコネクタ１９の他方の面（図示下面）を回路基板３０に設けられた接続端子部３１に当接して圧縮することにより、パネル端子部と接続端子部３１との導電接続が可能となる。一方、上記の取付係合突起２３は、図３及び図４に示すように、支持体２０の端部（外周部）から背面側（回路基板３０が配置される側）に突出する突出軸部２３ａと、この突出軸部２３ａの先端に設けられたフック状の係合端部２３ｂとを備えている。図１（ａ）に示すように、本実施形態の支持体２０を取り付ける電子機器側の回路基板３０（図示一点鎖線で示す。）には、上記取付係合突起２３を受け入れて係合するように構成された係合孔３０ａが取付係合突起２３のそれぞれと対応した位置に設けられている。そして、上記取付係合突起２３は、回路基板３０の係合孔３０ａに挿入され、係合端部２３ｂを係合孔３０ａの図示下方の開口縁部に引っかけるようにして固定される。このとき、回路基板３０の表面上のラバーコネクタ１９の他方の面（図示下面）と対向する位置に形成された接続端子部３１（多数の接続端子が狭ピッチにて配列されたもの）は、上記ラバーコネクタ１９の他方の面（図示下面）に圧接され、この圧接力によってラバーコネクタ１９が圧縮されるので、接続端子部３１はラバーコネクタ１９の導電線１９ｂを介してフレキシブル配線基板１６の先端部に形成された配線端子部１６ａに導電接続される。その結果、配線端子部１６ａは液晶パネル１０のパネル端子部１１ｂに導電接続されているため、回路基板３０上の接続端子部３１はパネル端子部１１ｂに導電接続される。
【００１９】
図１（ｂ）には、配線端子部１６ａと接続端子部３１の平面（配線端子部１６ａとラバーコネクタ１９の一方の面との接触面）上の重なり状態の位置関係を示すものである。配線端子部１６ａにはフレキシブル配線基板１６の先端部に図示斜線で示すように各配線端子１６ｂが千鳥状に配列されている。配線端子１６ｂに対して、ラバーコネクタ１９を介して接続端子部３１の各接続端子３１ａがちょうど重なるように配列されている。そして、支持体２０が取付係合突起２３によって回路基板３０に係合することによって、ラバーコネクタ１９が配線端子部１６ａと接続端子部３１との間において挟圧されて圧縮され、この圧縮状態が保たれるため、ラバーコネクタ１９の導電線１９ｂによって配線端子１６ｂと接続端子３１ａとの導電接触状態も保持される。
【００２０】
なお、本実施形態の前面側の平面形状を示すものが図５である。本実施形態の前面形状においては、枠状部２２の内部に液晶パネル１０が収容され、そのパネル面内には、液晶駆動によって表示可能な駆動表示機能を有する駆動表示領域を含み、画面として有効な領域である有効表示領域１０ａが形成され、当該有効表示領域１０ａ内において所望の液晶表示を行うことができるように構成されている。
【００２１】
この実施形態においては、厚肉部２４の凹部２４ａ内に設けられた、配線端子部１６ａ、補強板１８、ラバーコネクタ１９はコネクタ構造を構成している。このコネクタ構造は上記凹部２４ａの内底面２４ｄに対して取付支持されている。また、凹部２４ａは液晶パネル１０と平面的に重なる位置に設けられ、その中にコネクタ構造が形成されているので、支持体をコンパクトに形成できる。特に、凹部２４ａは液晶パネル１０のパネル端子部と平面的に重なる位置に形成されているため、液晶パネル１０のパネル端子部とコネクタ構造が接近し、両者間の接続構造を簡易に構成できる。この構造は以下の第２実施形態及び第３実施形態についても同様である。
【００２２】
上記実施形態によれば、液晶パネル１０を取り付けた支持体２０を電子機器内に設置された機器本体側の回路基板３０に対して押し付けることによって、支持体の取付係合突起２３が回路基板３０の係合孔３０ａに挿入された後に弾性変形して係合孔３０ａの挿入側とは反対側の開口縁部に係合縁部２３ｂを係合させることができる。このように係合させると、取付係合突起２３とラバーコネクタ１９のコンタクト面との寸法設定と、、回路基板３０における係合孔３０ａと接続端子部３１との寸法設定によって、ラバーコネクタ１９のコンタクト面は回路基板３０上の接続端子部３１に相対的に位置合わせがなされて圧接され、厚肉部２４と回路基板３０との間で必要な圧縮力がラバーコネクタ１９に加わるので、フレキシブル配線基板１６の配線端子部と接続端子部３１とがラバーコネクタ１９を介して導電接続される。
【００２３】
したがって、本実施形態の液晶表示装置を電子機器本体の回路基板３０に対して実装する場合には、液晶パネル１０を取り付けた支持体２０を回路基板３０の所定位置に押し付けるだけで固定と電気的接続が同時に行なえるので電子機器への取付（組込み）作業及び液晶パネルの導電接続作業が合理的で且つワンタッチで一時に完了する。その結果、これらの作業は極めて簡単になり、しかも、装置の自動実装化も極めて容易になる。
【００２４】
［第２実施形態］
次に、図６を参照して本発明に係る第２実施形態について説明する。この実施形態においては、上記第１実施形態と同様の液晶パネル１０及び支持体２０を有するので、同一部分には同一符号を付し、それらの説明は省略する。この実施形態においては、上記実施形態と同様に、フレキシブル配線基板１６が厚肉部２４の凹部２４ａ内に開口凹部２４ｂから導入され、補強板１８によって補強される。
【００２５】
本実施形態では、フレキシブル配線基板１６の凹部２４ａ内に導入された部分の表面に形成された配線端子部１６ａの配線端子１６ｂが下方に向けて露出されている。フレキシブル配線基板１６に貼着された補強板１８は、凹部２４ａの内底面２４ｄに取付支持されたシリコーンゴムなどの弾力性に富んだ合成ゴムなどからなる弾性板２６に貼着されている。本実施形態では、上記凹部２４ａ内に配線端子部１６ａ、補強板１８及び弾性板２６がコネクタ構造を構成している。
【００２６】
一方、上記と同様の回路基板３０の表面には端子接続部３１が形成され、この端子接続部３１の表面上には上記と同様のラバーコネクタ３２が貼着されている。このラバーコネクタ３２は上記のラバーコネクタ１９と同様に弾性基材３２ａ内に導電線３２ｂが貫通した構造を備えている。
【００２７】
本実施形態では、第１実施形態と同様に図示しない取付係合突起を回路基板３０の図示しない係合孔に係合させると、回路基板３２上のラバーコネクタ３２の図示上面が凹部２４ａ内に配置されたフレキシブル配線基板１６の配線端子部１６ａに圧接するように構成されている。そして、ラバーコネクタ３２の一方の面（図示上面）は配線端子部１６ａから他方の面（図示下面）に向かう方向に圧力を受けるため、圧縮される。フレキシブル配線基板１６は弾性板２６を介して支持体の厚肉部２４に取り付けられているので、ラバーコネクタ３２から受ける圧力に応じて弾性板２６が変形し、所定の圧力にてフレキシブル配線基板１６の配線端子部と回路基板３０上の端子接続部３１とが導電接続される。
【００２８】
なお、上述のような圧縮ストロークを確保するために、ラバーコネクタ３２の厚みは、ラバーコネクタ３２が厚肉部２４に形成された凹部２４ａ内に導入されたとき、ラバーコネクタ３２の一方の面（図示上面）が配線端子部１６ａに接触しても、厚肉部２４の端面２４ｃと回路基板３０の表面との間に僅かな間隔が存在するような寸法設定がなされている。
【００２９】
なお、上記構造において、回路基板３０の接続端子部３１上にラバーコネクタ３２が形成され、フレキシブル配線基板１６の背後に弾性板２６が配置されているが、弾性板２６とラバーコネクタ３２のいずれか一方のみが設けられていても支障無く導電コンタクトを得ることができる。ただし、端面２４ｃとコンタクト面との位置関係を調整し、確実にコンタクト圧が得られるように寸法調整する必要がある。
【００３０】
［第３実施形態］
次に、図７及び図８を参照して本発明に係る第３実施形態について説明する。この実施形態においても、上記第１及び第２実施形態と同様の液晶パネル１０及び支持体２０とを有するので、同一部分には同一符号を付し、その説明は省略する。
【００３１】
この実施形態では、支持体２０の厚肉部２４に形成された凹部２４ａ内に、コネクタ構造を構成する接続コネクタ２７が取り付けられている。この接続コネクタ２７は合成樹脂などからなる絶縁枠２７ａを備え、この絶縁枠２７ａのブリッジ部２７ｂに複数のばね性（弾性）を有する導電端子片２７ｃが一体成形された状態で固定されている。導電端子片２７ｃはそれぞれ屈曲した折り返し形状を備えており、ブリッジ部２７ｂに固定された部分から見て、屈曲部の先の折り返し部の先端に接触端部２７ｅが形成されている。また、絶縁枠２７ａには一対の突起部（ボス）２７ｄが形成されている。この突起部２７ｄは凹部２４ａの内底面２４ｄ上に形成された穴部２４ｅに嵌合して位置決めされて固定されている。この状態で、接続コネクタ２７は凹部２４ａの内面に両面粘着テープなどの固着手段２５によって取り付けられる。従って、接続コネクタ２７は固定手段２５に加え穴部２４ｄと突起部（ボス）２７ｄとの固定で、押圧（圧縮）されても接触端部２７ｅと回路基板３０側の接続端子部３１との導電接続においてずれを生じさせることが無い。
【００３２】
接続端子板２７の導電端子片２７ｃは、凹部２４ａの開口縁部に相当する厚肉部の端面２４ｃよりもやや下方に突出している。したがって、第１実施形態と同様に取付係合突起２３を回路基板３０に係合させると、導電端子片２７ｃの接触端部２７ｅは回路基板３０上の接続端子部３１に圧接され、導通状態となる。この導通状態は、導電端子片２７ｃの弾性力によって得られるコンタクト圧によって確保される。
【００３３】
［第４実施形態］
最後に、図９を参照して本発明に係る第４実施形態について説明する。この実施形態は、上記各実施形態と同じ液晶パネル１０と、上記各実施形態とほぼ同様の支持体２０とを備えているが、細部について種々異なる点がある。ここで、上記各実施形態とほぼ対応する部分には同一符号を付す。支持体２０は、導光部２１、枠状部２２、取付係合突起２３及び厚肉部２４を備えている。ここで、枠状部２２には、基板１１の張出領域１１ａの外面上に張り出した形状を有する押圧支持部２８が形成されている。この押圧支持部２８の反対側の張出領域１１ａの表面上には、多数の端子が並列したパネル端子部１１ｂが形成されている。
【００３４】
支持体２０の厚肉部２４には、図示上下方向に貫通する貫通部（開口部）２４ｆが形成され、ここに、上記とほぼ同構造のラバーコネクタ２９が挿通されている。つまり、支持体２０は、液晶パネル１０を支持する上面とは側の反対側の背面において張出領域１１ａの下方に位置する領域面には液晶パネル１０の張出領域１１ａ側に向けて貫通した貫通部（開口部）２４ｆが設けられている。このラバーコネクタ２９はコネクタ構造を構成する。なお、貫通部２４ｆは孔形状でなく、単なるスリット形状若しくは溝形状であってもよい。ラバーコネクタ２９は上記パネル端子部１１ｂに対して導電接続された状態で固着されている。また、ラバーコネクタ２９の図示下端部は厚肉部２４の端面２４ｃよりもやや下方に突出した状態になっている。
【００３５】
この実施形態においては、上記第１実施形態と同様の回路基板３０の係合孔３０ａに取付係合突起２３を挿入し、その係合端部２３ｂを係合孔３０ａの図示下方の開口縁部に係合させると、ラバーコネクタ２９が接続端子部３１に圧接されるため、パネル端子部１１ｂと接続端子部３１とが導通する。このとき、基板１１の張出領域１１ａとラバーコネクタ２９との間には、本来、支持体２０を回路基板３０に取り付けたときの取付圧力によって圧縮されたラバーコネクタ２９の弾性力が加わる。しかし、張出領域１１ａのコンタクト方向の背後には押圧支持部２８が形成されているので、この押圧支持部２８によって基板１１の張出領域１１ａは背後から支持される。言い換えると、押圧支持部２８は、支持体２０を回路基板３０に押し付ける取付圧力の少なくとも一部を張出領域１１ａに対して背後から及ぼす。したがって、支持体２０と回路基板３０との間の圧接力が大きくなっても、基板１１は張出押圧部２８によって支持された状態となるため、パネルの破損を防止することができる。
【００３６】
また、上記の貫通部２４ｆは液晶パネル１０と平面的に重なる位置に設けられ、その中にコネクタ構造を構成するラバーコネクタ２９が配置されているので、支持体をコンパクトに形成できる。特に、貫通部２４ｆは液晶パネル１０のパネル端子部と平面的に重なる位置に形成されているため、液晶パネル１０のパネル端子部とコネクタ構造とが接近し、両者間の接続構造を簡易に構成できるという利点がある。
【００３７】
なお、本発明の液晶表示装置は、上述の図示例にのみ限定されるものではなく、本発明の要旨を逸脱しない範囲内において種々変更を加え得ることは勿論である。
【００３８】
【発明の効果】
以上、説明したように本発明によれば、支持体を取付係合部を用いて被取付体に取り付けることによって、コネクタ構造が取付体の被導電接続部に圧接され、導通するように構成されているので、支持体の取付体への取付作業と、コネクタ構造と被導電接続部との導電接続作業とをそれぞれ行う必要がなくなり、液晶表示装置の取付作業が極めて容易になるとともに、液晶表示装置の自動実装も容易に行うことが可能になる。
【図面の簡単な説明】
【図１】本発明に係る液晶表示装置の第１実施形態のコネクタ構造の近傍を示す拡大部分断面図（ａ）及びコネクタ構造と回路基板との導電接触部の平面透視図（ｂ）である。
【図２】第１実施形態の全体構造を示す概略断面図である。
【図３】第１実施形態の側面図である。
【図４】第１実施形態の底面図である。
【図５】第１実施形態の平面図である。
【図６】本発明に係る液晶表示装置の第２実施形態のコネクタ構造の構造を示す拡大部分断面図である。
【図７】本発明に係る液晶表示装置の第３実施形態のコネクタ構造の構造を示す拡大部分断面図である。
【図８】第３実施形態の接続端子板の構造を示す底面図である。
【図９】本発明に係る液晶表示装置の第４実施形態のコネクタ構造の構造を示す拡大部分断面図である。
【符号の説明】
１０  液晶パネル
１１，１２  基板
１１ａ  張出領域
１１ｂ  パネル端子部
１３，１４  偏光板
１５  集積回路チップ
１６  フレキシブル回路基板
１６ａ  配線端子部
１６ｂ  配線端子
１７，１８  補強板
１９，２９，３２  ラバーコネクタ
２０  支持体
２１  導光部
２２  枠状部
２３  取付係合突起
２４  厚肉部
２４ａ  凹部
２４ｄ  内底面
２５  固着手段
２６  弾性板
２７  接続コネクタ
２８  張出押圧部
３０  回路基板
３０ａ  係合孔
３１  接続端子部
３１ａ  接続端子
【図１】
0003708779.tif 000002
【図２】
0003708779.tif 000003
【図３】
0003708779.tif 000004
【図４】
0003708779.tif 000005
【図５】
0003708779.tif 000006
【図６】
0003708779.tif 000007
【図７】
0003708779.tif 000008
【図８】
0003708779.tif 000009
【図９】
0003708779.tif 000010